(57)【特許請求の範囲】
【請求項１】
鼻道を画定する鼻を有する使用者の鼻道を開放させるように適合されたアイウェアシステムであって、前記アイウェアシステムは、
使用者の鼻に隣接して配置可能な装着可能フレームと、
前記使用者の鼻の上に鼻道に隣接して選択的に配置可能であるとともに前記装着可能フレームから分離するように構成された鼻取付部材と、を備え、
前記鼻取付部材は、前記使用者の鼻の上に配置されたときに鼻に接着されるように構成され、
前記鼻取付部材は、前記使用者の鼻に隣接して前記装着可能フレームを配置することに応答して、前記装着可能フレームに向けて磁気的に付勢され、使用者の鼻道を開放させるように適合されている、システム。
【請求項２】
前記装着可能フレームに結合され、かつ前記装着可能フレームが使用者に配置されると使用者と接触するように構成されたライナーであって、該ライナーは圧縮性材料から形成されている、ライナーと、
前記装着可能フレームに選択的に取り付け可能に構成され、かつ前記装着可能フレームに取り付けられると前記ライナーを圧縮するように適合されたクリップとをさらに備え、前記クリップは、前記使用者の鼻に隣接して前記装着可能フレームを配置することに応答して、前記鼻取付部材を前記装着可能フレームに向けて付勢するように構成されている、請求項１に記載のシステム。
【請求項３】
前記クリップに結合される周囲バリア部材をさらに備え、前記周囲バリア部材は、前記クリップが前記装着可能フレームに取り付けられ、かつ前記装着可能フレームが使用者の鼻に隣接して配置されるときに、前記装着可能フレームと使用者との間における粉塵の通過を軽減するために使用者と接触するように構成されている、請求項２に記載のシステム。
【請求項４】
前記クリップは第１クリップ部材と、第１クリップ部材に枢動可能に結合された第２クリップ部材とを備える、請求項２に記載のシステム。
【請求項５】
第１クリップ部材は、第２クリップ部材に対して、開放位置と閉鎖位置との間で枢動可能であり、第１クリップ部材と第２クリップ部材との間の角度は、第１クリップ部材および第２クリップ部材が開放位置から閉鎖位置に向かって枢動するにつれて減少する、請求項４に記載のシステム。
【請求項６】
第１クリップ部材および第２クリップ部材は、第１クリップ部材および第２クリップ部材が閉鎖位置にあるときに、ロック状態となるように構成されている、請求項５に記載のシステム。
【請求項７】
前記装着可能フレームに結合されたフレーム磁石と、前記鼻取付部材に結合され、かつ前記フレーム磁石に磁気的に引き付けられる鉄体とをさらに備える、請求項１に記載のシステム。
【請求項８】
前記鼻取付部材は、使用者の双方の鼻孔の間に延在するように構成された鼻ストリップを備える、請求項１に記載のシステム。
【請求項９】
前記鼻取付部材は、使用者の鼻孔の各々に隣接して配置可能な一対の鼻要素を含む、請求項１に記載のシステム。
【請求項１０】
前記装着可能フレームは、ゴーグルレンズと係合するように適合されたゴーグルフレームである、請求項１に記載のシステム。
【請求項１１】
前記鼻取付部材は、接着剤層と、前記接着剤層に結合される鉄体とを含み、前記接着剤層は前記使用者の鼻の上に配置可能である、請求項１に記載のシステム。
【請求項１２】
前記鼻取付部材は、磁石と接触するように構成されたアーチ状の面を有する、請求項１１に記載のシステム。
【請求項１３】
前記接着剤層を被覆する剥離ライナーをさらに備え、前記剥離ライナーは、前記使用者の鼻の上に配置される前に前記接着剤層を露出させるべく該接着剤層から選択的に除去可能である、請求項１１に記載のシステム。
【請求項１４】
前記装着可能フレームはゴーグルフレームである、請求項１に記載のシステム。
【請求項１５】
アイウェアを装着している使用者の鼻気道を改善する方法であって、前記方法は、
使用者に対して使用者の鼻孔に隣接して鼻取付部材を取り付けることと、
前記鼻取付部材の取付後に、前記アイウェアを使用者に配置することと、を含み、前記アイウェアを使用者に配置することにより、前記鼻取付部材を前記アイウェアに向けて磁気的に付勢するようにし、前記鼻取付部材の前記アイウェアに向けての移動により使用者の鼻気道を拡張させる、方法。
【請求項１６】
使用に際して装着者の鼻に固定される、一回使用のための鼻要素であって、
鼻要素の下部に配置される接着剤基層と、
外層と、
磁気誘引性要素と、を備え、
前記接着剤基層及び前記外層は前記磁気誘引性要素を包封し、前記磁気誘引性要素の１つ以上の表面がアーチ形またはドーム形の形態をなしている、鼻要素。
【請求項１７】
前記磁気誘引性要素は鉄材料からなる、請求項１６に記載の鼻要素。
【請求項１８】
前記接着剤基層の一部を被覆する剥離ライナーをさらに備える、請求項１６に記載の鼻要素。
【発明の詳細な説明】
【技術分野】
【０００１】
本発明は、概してアイウェア付属品キットに関し、より具体的には、装着者の鼻孔をより開放した位置へ付勢することにより、装着者の鼻における空気の流れを高めるように設計されたアイウェア付属品キットに関する。
【背景技術】
【０００２】
スポーツをしているとき、または身体競技に参加しているときには、身体による酸素の需要が増大するために、呼吸が重要であることは容易に理解される。呼吸は、人の鼻孔および／または人の口を介して体内に空気を引き込むことにより行われ得る。しかしながら、場合によっては、口を介した呼吸に不都合があることがあるため、ほぼ鼻孔のみを介して呼吸することが望ましい。このような場合、口を介した呼吸は急速な水分の喪失および熱の喪失をもたらし、それらの双方は運動誘発性喘息の可能性を増大する。
【０００３】
またアイウェア（眼鏡類）は、一般に、多くのスポーツおよび活動に参加する場合に用いられることも理解される。そのようなアイウェアとしては、保護アイウェア、または視力改善（例えば、処方箋）アイウェアが挙げられ得る。例えば、ゴーグルは、スノーボード、スキー、モトクロス、自動車レース、バスケットボール、野球、ホッケーなどに参加する多くのスポーツ選手によって容易に装着される。ゴーグルは、典型的には、ゴーグルフレームの一部が装着者の鼻の上に延在するように構成されており、よってゴーグルは装着者の鼻道（ｎａｓａｌ  ｐａｓｓａｇｅ）を介した装着者の呼吸能力に影響を与え得る。
【０００４】
さらに、多くのゴーグルは、雪、雨、埃または他の異物がゴーグル内に侵入して、装着者の目において潜在的な刺激物を生じることを防止するバリアまたはシールを形成するために、装着者の顔面と接触する（ｉｎｔｅｒｆａｃｅｓ  ｗｉｔｈ）発泡体ライナーが取り付けられている。ゴーグルのまわりに有効なシールまたはバリアを形成するために、ゴーグルは、典型的には頭部のまわりに装着される弾性バンドの使用により、装着者の顔面に対して圧迫される。装着者に対する発泡体ライナーの圧迫は、装着者の鼻道を圧迫する傾向にあり、これは装着者の鼻を介した装着者の呼吸能力をさらに抑制する。
【発明の概要】
【発明が解決しようとする課題】
【０００５】
従って、装着者の鼻道を介した装着者の呼吸能力を高めるために、ゴーグルまたは他のアイウェアとともに用いることができる装置が技術的に必要とされている。本発明の様々な態様は、以下においてより詳細に検討するように、この特定の必要性に対処する。
【課題を解決するための手段】
【０００６】
本発明の一実施形態によれば、ゴーグルフレームに取り付け可能なゴーグルクリップと、装着者の鼻に付着する対応した鼻要素とを含むゴーグルキットが提供される。前記ゴーグルクリップは、発泡体ライナーを圧縮するようにゴーグルフレームに付着して、鼻要素のための空間を形成し、鼻要素がクリップに向かって外側に移動することを可能にする。前記鼻要素およびゴーグルクリップは、鼻要素が外側方向および／または前方方向に移動されて前記クリップと係合するように、互いに取り付け可能に構成されている。前記鼻要素の外側および／または前方への移動は、装着者の鼻の開口（ｎａｓａｌ  ｏｐｅｎｉｎｇ）を拡張させる。従って、装着者がゴーグルを使用していても、装着者はその鼻道を介してより自由に呼吸することができる。
【０００７】
前記ゴーグルクリップは、拡張位置と、ゴーグルクリップをゴーグルフレームに固定するための挟着位置（ｃｌａｍｐｉｎｇ  ｐｏｓｉｔｉｏｎｓ）との間を移行する一対のクリップタブを備え得る。前記クリップタブは、前記クリップが拡張位置から挟着位置に向かって移行するにつれて、互いに向かって移動し得る。前記ゴーグルクリップは、スプリングクリップを備えてもよいし、または前記クリップが拡張位置と挟着位置との間を移行できるようにするヒンジを備えていてもよい。
【０００８】
前記鼻要素は、使用者の鼻孔の各々の上に配置可能な一対のノーズピースを含み得る。前記鼻要素はまた、使用者の鼻孔の間の使用者の鼻の上に延在可能な単一ストリップを含んでもよい。前記鼻要素は鼻要素を使用者に対して一時的に固定するための接着剤を含んでもよい。
【０００９】
前記ゴーグルクリップと鼻要素との間の係合は、磁気引力、面ファスナ（例えばＶＥＬＣＲＯ（登録商標））、接着剤、スナップ、クリップ、摩擦または当業において既知の他の機械的な係合機構によるものであってもよい。
【００１０】
一実施形態によれば、使用者の鼻道を開放するように適合されたアイウェアシステムが提供される。前記アイウェアシステムは、使用者の鼻に隣接して配置可能に構成されたブリッジ部を有する装着可能フレームを備える。鼻取付部材は、使用者の鼻の上に鼻道に隣接して選択的に配置可能に構成されている。前記鼻取付部材は、前記使用者の鼻に隣接して装着可能フレームを配置することに応答して、前記装着可能フレームに向けて付勢されて、使用者の鼻道を開放させるように適合されている。
【００１１】
前記システムは、装着可能フレームに接続され、かつ装着可能フレームが使用者に配置されるときに使用者と接触するように構成されたライナーを備え得る。前記ライナーは圧縮性材料から形成され得る。前記システムは、前記装着可能フレームに選択的に取り付け可能に構成され、かつ前記使用者の鼻に隣接して装着可能フレームを配置することに応答して、鼻取付部材を装着可能フレームに向けて付勢するように適合されたクリップをさらに備え得る。周囲バリア部材は、前記クリップに結合され、前記クリップが装着可能フレームに取り付けられ、かつ前記装着可能フレームが使用者の鼻に隣接して配置されるときに、前記装着可能フレームと使用者との間における粉塵の通過を軽減するために使用者と接触するように構成され得る。
【００１２】
前記クリップは第１クリップ部材と、第１クリップ部材に枢動可能に結合された第２クリップ部材とを備え得る。第１クリップ部材は、第２クリップ部材に対して、開放位置と閉鎖位置との間で枢動可能であり得る。第１クリップ部材および第２クリップ部材が開放位置から閉鎖位置に向かって枢動するにつれ、第１クリップ部材と第２クリップ部材との間の角度は減少し得る。第１クリップ部材および第２クリップ部材は、第１クリップ部材および第２クリップ部材が閉鎖位置にあるときに、ロック状態となるように構成され得る。
【００１３】
前記鼻取付部材は、装着可能フレームに向かって磁気的に付勢される（ｍａｇｎｅｔｉｃａｌｌｙ  ｕｒｇｅｄ）ように構成されてもよい。前記システムは、装着可能フレームに結合され、かつ鼻取付部材に対して磁気的に引き付けられる（ｍａｇｎｅｔｉｃａｌｌｙ  ａｔｔｒａｃｔａｂｌｅ）フレーム磁石を備えてもよい。
【００１４】
別の実施形態によれば、圧縮性バリア部材を有するゴーグルを装着した使用者の鼻気道を改善する方法が提供される。前記方法は、ゴーグル上において圧縮性バリア部材を圧縮して、前記バリア部材内に凹部を形成することと、使用者に対して使用者の鼻孔に隣接して鼻取付部材を取り付けることと、前記圧縮性バリア部材が圧縮された後に、前記ゴーグルを装着者に配置することとを含み、前記ゴーグルの装着者への配置は、鼻取付部材をバリア部材内に形成された凹部内に移動するように付勢し、前記鼻取付部材の凹部内への移動は使用者の鼻気道を拡張させる。
【００１５】
本発明は、添付図面とともに読まれる場合に、以下の詳細な説明を参照することにより、最もよく理解されるであろう。
本願に開示した様々な実施形態のこれらの特徴および他の特徴および利点は、以下の説明および図面に関して、よりよく理解されるであろう。
【図面の簡単な説明】
【００１６】
【図１】一対の鼻要素を装着した使用者、および鼻要素と協働して鼻道を開放するクリップが取り付けられたゴーグルの正面図。
【図２】図１に示したゴーグルおよびクリップの後面斜視図。
【図２Ａ】バリア部材が取り付けられた図２に示したクリップの上方斜視図。
【図３】発泡体ライナーが除去され、クリップが開放位置にある、図２に示したクリップの斜視図。
【図４】クリップが閉鎖位置にある、図３に示したクリップの斜視図。
【図５】クリップが閉鎖位置にある、図３に示したクリップの上面図。
【図６】クリップが閉鎖位置にある、図３に示したクリップの正面図。
【図７】クリップが閉鎖位置にある、図３に示したクリップの側面図。
【図８】クリップが閉鎖位置にある、図３に示したクリップの背面図。
【図９】発泡体ライナーおよび一対の磁石を有するクリップの第２実施形態の正面上方斜視図。
【図１０】発泡体ライナーの端部が図９に示したその位置に対して移動された、図９に示したクリップの後面上方斜視図。
【図１１】図９に示したクリップの平面図。
【図１２】図９に示したクリップの上方斜視図。
【図１３】図９に示したクリップの正面図。
【図１４】図９に示したクリップの側面図。
【図１５】部分的に除去された剥離ライナーを有する鼻要素の側断面図。
【図１６】装着者および装着者によって装着された鼻要素と整列させられたゴーグルの下面図。
【図１７】鼻ストリップを装着した使用者、およびゴーグルが装着されるときに、使用者の鼻道を開放するために鼻ストリップをゴーグルに向けて付勢する磁石を埋設したゴーグルの正面図。
【図１８】装着者および鼻ストリップと整列させられたゴーグルおよびクリップの下面図。
【図１９】装着者の鼻道を開放するために鼻ストリップをゴーグルフレームに向けて付勢するゴーグルおよびクリップの下面図。
【発明を実施するための形態】
【００１７】
同一の要素を示すために、図面および詳細な説明の全体にわたって共通の参照数字を用いる。
添付図面に関連して以下で述べる詳細な説明は、ゴーグル呼吸システムの特定の実施形態の説明として意図されており、開発され得るか、または用いられ得る唯一の形態を表わすことは意図されていない。前記説明は例示した実施形態に関して様々な構造および／または機能を示すが、しかしながら、同一または均等な構造および／または機能が同様に本開示の範囲内に包含されることが意図される異なる実施形態によって得られてもよいことが理解されるべきである。第１および第２などのような関係語の使用は、そのような要素の間において実際のそのような関係または順序を必ずしも必要としたり、または示唆したりすることなく、１つの要素を別のものから識別するためだけに用いられることがさらに理解される。
【００１８】
ここで、その表示が本発明の好ましい実施形態を示すことのみを目的とし、それらの実施形態を限定することは目的としていない図面を参照すると、ゴーグル１６のようなアイウェアを装着した人１４の鼻道１２を開放または拡張させるように構成されたシステム１０が示されている。システム１０は、概して、装着者１４によって装着者の鼻孔に隣接して装着される一対の鼻要素１７を含む鼻取付部材１５を備える。システム１０は、ゴーグル１６が装着者１４の上に配置されると、鼻取付部材１５がゴーグルフレーム２０に向けて付勢され、その結果として鼻の開口の拡張を生じ、それにより、装着者の鼻１８の上に延在するゴーグル１６が存在するにもかかわらず、装着者１４がより呼吸し易いようにする。
【００１９】
ここで特に図１を参照すると、内部にレンズ２２が配置されたフレーム開口を備えた装着可能フレーム２０を有するゴーグル１６のセットが示されている。フレーム２０は、対向した側方端部２４，２６、上部２８、および装着者１４の鼻１８の上に適合するブリッジ部３２を有する反対側の底部３０を備える。フレーム２０は、プラスチック、ゴム、または当業者に周知の他の材料から製造されてもよい。ヘッドバンドまたはストラップ３４は、フレーム２０を装着者の頭部に固定するために、フレーム２０の対向した側方端部２４，２６に接続され得る。
【００２０】
例示的な実施形態は、装着可能フレーム２０をゴーグル１６用のフレームであると示しているが、装着可能フレームという用語は、様々なヘルメットシステムなどと関連するフレームのような装着者によって装着され得る他のフレームを広く表し得ることが理解される。
【００２１】
発泡体ライナー３６は、フレーム２０の内周部分のまわりに延び、ゴーグル１６が装着者１４によって装着されると、装着者の頭部に載置される。発泡体ライナー３６は、装着者の目を保護すべく、不要な異物または粉塵がゴーグル１６と装着者１４との間を通過するのを防止するために、装着者の顔面と接触して、フレーム２０のまわりにシールまたはバリアを形成するように設計されている。ライナー３６は、好ましくは、ゴーグル１６内の換気を可能にするために、空気がゴーグルを通過できるように、通気性材料から形成されている。
【００２２】
ゴーグル１６は、装着者１４の特定のサイズ、並びにゴーグル１６の目的の用途に応じて、様々な形状、大きさおよび構成で提供されることが理解される。従って、「ゴーグル」という用語は、スノーボード、スキー、オートバイレース（例えばモトクロス）、自動車レースを行うとき、またはバスケットボール、野球、フットボール、ホッケーなどのような多種多様なスポーツを行うときに、装着者の目を保護するため、または高い視認性を提供するために装着される任意のアイウェアを広く表す。
【００２３】
システム１０の一実施形態は、ゴーグル１６のフレーム２０に選択的かつ確実に取り付けられ得るゴーグル取付部材またはクリップ３８をさらに備える。各クリップ３８は、相補的な固定部材によって、対応する鼻要素１７と係合するように特に適合されている。クリップ３８と鼻要素１７との間の係合は、以下により詳細に記載するように、鼻道の拡張をもたらす。クリップ３８がゴーグル１６に取り付けられると、クリップ３８は、ライナー３６を圧縮して、装着者の鼻１８のまわりに空間を形成し、鼻要素１７が外側および前方に引っ張られることを可能にし、それにより鼻１８を拡張させる。
【００２４】
一実施形態によれば、ここで図２〜図８を参照すると、第１クリップ部材４２と、ヒンジ４５によって第１クリップ部材４２に枢動可能に接続された第２クリップ部材４４とを備えたクリップ３８の第１実施形態が示されている。第１クリップ部材および第２クリップ部材４２，４４は、クリップ３８がゴーグルフレーム２０上に挟着できるようにするために、ゴーグルフレーム２０の一部を受容するような大きさに形成され、かつそのように適合されたクリップチャネル４６（図７を参照）をそれらの間に画定する、対向した係止タブを形成する。
【００２５】
図３〜図８に示すように、第１クリップ部材４２は、連結アーム５２によって相互に接続された一対の対向した側方アーム４８，５０を備える。対向した側方アーム４８，５０および連結アーム５２は共同して、クリップチャネル４６に面した第１挟着面５４（図７参照）を画定する。第１クリップ部材４２は、連結アーム５２から延びる係止アーム５６をさらに備え、係止アーム５６は、第１係止面５８（図３を参照）、第２係止面６０、および外側カム面６１を備える。それらの各面の目的は以下でより詳細に説明する。
【００２６】
第２クリップ部材４４は、第１クリップ部材４２の第１挟着面５４に対向した関係にある、クリップチャネル４６に面する第２挟着面６４を有する第１壁６２を備える。第１挟着面および第２挟着面５４，６４はそれらの間に角度θ（図７を参照）を画定する。第２クリップ部材４４は、第２挟着面６４の反対側に外面６５（図７を参照）をさらに備える。第２壁６６は第１壁６２から延び、一対の側方アーム６３，６７と、側方アーム６３，６７の間に延びる遠位アーム６９とを備える。第２壁６６内には開口６８が形成されており、開口６８は第１クリップ部材４２の係止アーム５６を受容するような大きさに形成され、かつそのように適合されている。
【００２７】
第１クリップ部材４２は、第２クリップ部材４４に対して、開放位置と閉鎖位置との間で、選択的に移行するように適合されている。具体的には、第１クリップ部材および第２クリップ部材４２，４４が開放位置から閉鎖位置に向かって移行する場合、第１挟着面５４と第２挟着面６４との間の角度θは減少する。反対に、第１クリップ部材および第２クリップ部材４２，４４が閉鎖位置から開放位置に向かって移行する場合には、第１挟着面５４と第２挟着面６４との間の角度θは増大する。
【００２８】
クリップ３８が開放位置（図３を参照）にある場合、第１クリップ部材４２の係止アーム５６は、第２クリップ部材４４の第２壁６６に形成された開口６８を通って延びている。更に、遠位アーム６９は、クリップ３８が開放位置から閉鎖位置に自由に動くのを防止する外側カム面６１に載っている。クリップ３８を開放位置から閉鎖位置へ移行させるためには、使用者は第１クリップ部材４２を第２クリップ部材４４に向けて押圧する。これにより、係止アーム５６が撓み、次いで遠位アーム６９が係止アーム５６に沿って係止面５８，６０に向かって移動し、第２壁６６の一部が係止アーム５６の第１係止面および第２係止面５８，６０と整合するまで、係止アーム５６が開口６８を通って後退することが可能となる。クリップ３８が閉鎖位置に位置したならば、第２壁６６と係止アーム５６、特に第２係止面６０との間の係合は、クリップ３８が閉鎖位置から開放位置に向かって移動するのを防止する。従って、クリップ３８は、開放位置と閉鎖位置との間の自由な移動を防止するように適合され得る。
【００２９】
クリップ３８を閉鎖位置から開放位置に向かって移動させるためには、典型的には、開口６８を介して係止アーム５６を前進させることができるまで、係止アーム５６を第２クリップ部材４４の第１壁６２に向けて押圧することによって、係止アーム５６は第２壁６６から脱係合される。この点において、第１クリップ部材４２は、連結アーム５２に対する係止アーム５６の撓みを可能にするために適当な可撓性を有する材料から構成される。
【００３０】
１つ以上の磁石７０はクリップ３８の係合領域においてクリップ３８に接続される。磁石７０は、外面６５からクリップ３８内に延びる空洞内に嵌め込まれている。磁石７０と磁石７０が嵌め込まれている空洞とは、好ましくは、磁石７０が空洞内に嵌め込まれているときに、磁石７０の外面が第２クリップ部材４４の外面６５とほぼ同一平面上に位置するように構成されている。磁石７０は、装着者１４の鼻道を開放または拡張させる目的のために、装着者１４によって装着された鼻取付部材１５をゴーグルフレーム２０に向けて磁気的に付勢するように適合されている。
【００３１】
一実施形態によれば、磁石７０は、Ｎ４２グレードのネオジム磁石であるが、本発明の趣旨および範囲から逸脱することなく、異なるグレードまたは材料の磁石が用いられてもよい。更に、磁石７０の大きさは、直径約０．６４ｃｍ〜１．９１ｃｍ（０．２５”〜０．７５”）にわたり得る。例えば、磁石７０は直径０．９５ｃｍ（３／８”）または１．２７ｃｍ（１／２”）であってもよいが、他の大きさが用いられてもよい。
【００３２】
クリップ３８がゴーグルフレーム２０上に配置されると、クリップ３８はゴーグル１６の内周の内側を覆う発泡体３６を圧縮して空洞を形成する。この空洞は、装着者の鼻孔に隣接したライナー３６内に空間を形成して、鼻要素１７が外側に移動することを可能にし、鼻孔を拡張させる。しかしながら、ゴーグル１６上の発泡体３６を圧縮することは、ゴーグル１６のまわりのシールまたはバリアを損ない、雨、雪、埃または他の粉塵がゴーグル１６内に侵入して、装着者１４の視覚に干渉することを可能にし得る。従って、一実施形態によれば、図２および図２Ａを参照すると、周囲発泡体ライナー７４はクリップ３８に結合され、クリップ３８とゴーグル１６上の発泡体３６との間に延在することにより、クリップ３８のまわりの周囲バリア部材として作用する。クリップライナー７４およびゴーグルライナー３６は互いに協働して、クリップ３８がゴーグル１６上の発泡体３６を圧縮していたとしても、粉塵がゴーグル１６に侵入するのを防止する。更に、クリップライナー７４とゴーグルライナー３６との間において発泡体に対して発泡体を配する構成（ｆｏａｍ−ａｇａｉｎｓｔ−ｆｏａｍ  ａｒｒａｎｇｅｍｅｎｔ）は、クリップ３８とゴーグル１６との間における把持力（ｇｒｉｐ）を増す。周囲発泡体ライナー７４は、好ましくは、換気を可能にするために、空気が該ライナーを通過することができるように構成される。
【００３３】
図２は、互いに離間した関係でゴーグル１６に取り付けられた２つのクリップ３８を示している。各クリップ３８はそれ自身の周囲発泡体ライナー７４を備える。別の実施形態では、一対のクリップ３８は、鼻の上に延在するブリッジ部を含む共通発泡体ライナー（図示せず）を備える。共通発泡体ライナーを有する一対のクリップ３８が用いられる場合、そのようなクリップは、ゴーグル１６を鼻からやや遠くに配置して、より大きな空隙を形成する。前記空隙は磁性部材と使用者の鼻との間の空間を増大させて、鼻のより大きな拡張を可能にする。
【００３４】
今度は特に図９〜図１４を参照すると、クリップ１３８の第２実施形態が示されている。第２実施形態のクリップ１３８と第１実施形態のクリップ３８との主な相違は、第２実施形態のクリップ１３８は、該クリップに結合された一対の磁石１７０、並びに発泡体ライナー１７４をクリップ１３８固定するための取り付けアーム１４１を備えるという点である。第２実施形態のクリップ１３８の基本的な構造属性は、第１実施形態のクリップ３８の基本的な構造属性に類似している。具体的には、クリップ１３８は、第１クリップ部材１４２と、ヒンジ１４５を介して第１クリップ部材１４２に枢動可能に接続された第２クリップ部材１４４とを備える。第１クリップ部材および第２クリップ部材１４２，１４４は、それらの間にクリップチャネル１４６（図１４参照）を画定する対向した係止タブを形成する。クリップチャネル１４６は、クリップ１３８がフレーム２０上に挟着することを可能にするために、ゴーグルフレーム２０の一部を受容するような大きさに形成され、かつそのように適合されている。クリップ１３８は、クリップ３８の係止アーム５６と同様の方法で作用する係止アーム１５６をさらに備える。
【００３５】
上記で述べたように、クリップ１３８は、第１クリップ部材１４２から側方方向に外側へ延びる一対の取付アーム１４１を備える。取付アーム１４１は、発泡体ライナー１７４をクリップ１３８に固定するために、発泡体ライナー１７４に形成された対応する開口１４３を通って延びるように適合されている。この点において、クリップ１３８およびライナー１７４は、クリップからのライナー１７４の選択的な除去を可能にするように構成されている。そのため、異なるゴーグル上の異なる種類の発泡体ライナーに適応するために、異なる厚さを備えたライナー１７４が用いられてもよい。
【００３６】
一つのみの磁石と比較して、磁気引力を高めるために、２つの磁石１７０がクリップ１３８に接続されている。磁石１７０は並置形態で配列されてもよく、磁石１７０の磁極は互いに反対である。磁石７０の外部係合面は、対応する「ドーム状」またはアーチ形の金属の鼻要素との係合を高めるために、略凹状形態を画定するように、互いからわずかに偏倚されていてもよい。
【００３７】
各鼻要素１７は、鼻要素１７の下面に位置する接着剤層５５によって装着者の鼻１８に固定され得る。別個の鼻要素１７の使用により、使用者が使用者上における各鼻要素１７の正確な位置を正確に決定することが可能となる。各鼻要素１７は一回使用のために構成されてもよく、よって、いくつかの鼻要素１７をセットとしてパッケージ化して、販売してもよい。ここで図１５〜図１６を参照すると、鼻要素１７の断面図が示されている。鼻要素１７は、共同して鉄材料のような磁気誘引性要素（ｍａｇｎｅｔｉｃａｌｌｙ  ａｔｔｒａｃｔａｂｌｅ  ｅｌｅｍｅｎｔ）５９を包封する基層５５および外層５７を備える。磁気誘引性要素５９の１つ以上の表面は、鼻孔上で不快なトルクを生じ得る平面と平面との付着（ｆｌａｔ−ｔｏ−ｆｌａｔ  ａｔｔａｃｈｍｅｎｔ）を行うことなく、磁石７０と鼻要素１７との間の接触を可能にするために、アーチ形または「ドーム状」の形態を画定し得る。基層５５は、鼻要素１７を使用者の鼻１８に固定するための接着剤を露出させるために除去され得る剥離ライナー６１を備えてもよい。剥離ライナー６１は単一の連続片または分割片を含み得る。外層５７の露出面には、ゴーグル製造業者、クリップ製造業者、鼻ストリップ製造業者、スポーツチーム、学校、装着者のイニシャルなどに関連した標識またはロゴが刻印されてもよい。
【００３８】
前述では鼻要素１７は接着剤によって装着者に取り付けられると記載したが、鼻要素１７はピアッシング（ｐｉｅｒｃｉｎｇｓ）によって装着者に結合されてもよいことも企図される。また、鼻要素１７は、鼻孔の内部に挿入される部分と、鼻孔の外側に延在する別の部分とを有することにより、装着者の鼻に挟着するクリップによって装着者に結合されてもよいことも企図される。この点において、ゴーグルに磁気結合（ｍａｇｎｅｔｉｃ  ｃｏｕｐｌｉｎｇ）すべく鼻要素１７を配置するために、いかなる手段を用いて鼻要素１７を装着者に取り付けてもよいことが理解される。
【００３９】
上述したシステム１０の一実施形態の基礎的な構造的特徴とあわせて、システム１０の動作について記載する。装着者の頭部にゴーグル１６を配置する前に、装着者１４は鼻取付部材１７を装着者の鼻孔に隣接して自身の鼻１８の上に配置する（図１および図１６参照）。鼻要素１７は接着剤層を被覆する保護裏当てを有してもよく、したがって、装着者１４は、接着剤層を露出させるために、各鼻要素１７から保護裏当てを剥がさなければならないことがある。接着剤層が露出されると、装着者は、鼻要素１７を装着者の鼻１８に押し付けて、鼻要素１７を鼻１８に結合する。
【００４０】
装着者１４はまた、クリップ３８をフレーム２０のブリッジ部３２に隣接したゴーグルフレーム２０に取り付ける。具体的には、ゴーグル１６が装着者１４に配置されるときに、各クリップ３８が装着者の鼻孔の各々に隣接して配置されるように、クリップ３８はブリッジ頂部の対向した両側に配置される。クリップ３８は、上記により詳細に記載したように、クリップ３８を開放位置から閉鎖位置に向けて移行させることによって、ゴーグルフレーム２０に取り付けられる。クリップ３８がゴーグルフレーム２０に取り付けられると、各クリップ３８はゴーグル１６上の発泡体ライナー３６内に凹部またはくぼみを形成する。
【００４１】
鼻取付部材１７が装着者１４に取り付けられ、かつゴーグルクリップ３８はゴーグル１６に取り付けられた状態で、装着者１４はゴーグル１６を装着者の頭部に配置する。ここで特に図１６を参照すると、ゴーグル１６が装着者の頭部に近づくと、クリップ３８が鼻要素１７にさらに接近し、それによりクリップ磁石７０と鉄体５９との間の磁気引力がより強力になる。ゴーグル１６がその最終位置に配置されると、クリップ３８は鼻要素１７のための「着座部（ｐｅｒｃｈ）」または「位置決め部（ｌｏｃａｔｏｒ）」として作用し、その結果、鉄体５９がクリップ磁石７０との磁気係合に引き寄せられ、よって使用者の鼻道１２を拡張させる。具体的には、鼻取付部材１７は、使用者の鼻１８を拡張するために、それらの以前の位置に対して外側および前方に変位される。拡張された鼻道１２は、装着者１４が体内で高い酸素レベルを維持するために、身体活動中により容易に呼吸できるようにする。
【００４２】
前述は、鼻要素１７およびクリップ３８は磁石７０によって係合可能であると記載しているが、本発明の趣旨および範囲から逸脱することなく、他のコネクターを用いて鼻要素１７をクリップ３８に接続してもよいことも企図される。例えば、鼻要素１７とゴーグルクリップ３８との間の係合は、面ファスナ、磁石、接着剤または当業において既知の他の係合機構によるものであってもよい。
【００４３】
更に、上述したクリップ３８の実施形態は、互いに枢動可能に接続された別個の第１クリップ部材および第２クリップ部材４２，４４を備えているが、本発明の趣旨および範囲から逸脱することなく、他の実施形態のクリップ３８が用いられてもよいことが理解される。これらのことから、クリップ３８は、クリップのゴーグルフレーム２０上への配置を可能にするために可撓性である一対の対向するタブを有する単一の一体物を備えてもよい。
【００４４】
図１７〜図１９を参照すると、図１〜図８に関連して上述した実施形態に対する様々な代替案が示されている。具体的には、図１７〜図１９は、鼻ストリップの対向端部上に一対の取付領域１１７を有する単一の鼻ストリップを含む鼻取付部材１１５を示している。各取付領域１１７は、対応するクリップ３８上の磁石７０と選択的に係合可能に構成された鉄体を備える。鼻ストリップ１１５は、好ましくは、鼻ストリップ１１５が装着者の鼻１８に結合されることを可能にする接着剤層を備える。
【００４５】
図１８および図１９はまた、別個のクリップを使用することなく磁石１７０が結合された１組のゴーグル１１６のさらなる実施形態を示す。ゴーグル１１６は、内部にレンズ１２２が配置されたフレーム開口を有するフレーム１２０を備える。フレーム１２０は、対向した側方端部１２４，１２６、上部１２８、および装着者１４の鼻１８の上に適合するブリッジ部１３２を有する反対側の底部１３０を備える。ヘッドバンドまたはストラップ１３４は、フレーム１２０を装着者の頭部に固定するために、フレーム１２０の対向した側方端部１２４，１２６に接続され得る。
【００４６】
図１８および図１９に示した実施形態において、磁石１７０は、ブリッジ頂部の両側において、フレーム１２０の内面１２３と外面１２５との間のフレーム１２０内に位置する。磁石１７０はフレーム１２０内に埋設されていてもよいし、またはこれに代わって、磁石１７０の取り外しおよび交換を可能にするために、フレーム１２０内に形成されたスロット内に位置してもよい。ゴーグル１１６が装着者１４によって装着されると、磁石１７０は、磁石１７０が鼻取付部材１１５内の磁石に磁気的に引き付けられるように配置される。
【００４７】
ゴーグル１１６は、単一の鼻ストリップまたは別個の鼻要素を含む、鼻取付部材の様々な実施例とともに用いられてもよい。この点において、ゴーグル１１６は、図１８および図１９において、鼻ストリップ１１５と共に用いられると具体的に示されているが、ゴーグル１１６はまた図１に示した鼻取付部材１５と共に用いられてもよいことも企図される。
【００４８】
前述の検討では、磁石がクリップ内またはゴーグル内に組み込まれ、鉄体は鼻要素内または鼻ストリップ内に組み込まれると記載されているが、他の実施形態は逆の形態を有してもよい、すなわち、磁石が鼻要素内または鼻ストリップ内に組み込まれ、鉄体はクリップ内またはゴーグル内に組み込まれることが当業者には容易に分かるであろう。
【００４９】
システム１０は、ゴーグル、クリップおよび鼻取付部材を含む完全なセットとしてパッケージ化されて販売されてもよいことが企図される。これに代わって、クリップおよび鼻取付部材は、セットとして、または個々に、別々に販売されてもよい。例えば、システム１０は、２つのクリップと、クリップ用の４つの発泡体ライナーであって、２つの異なる発泡体厚さのものである発泡体ライナーと、８つの鼻要素とを含むキットとして販売されてもよい。もちろん、他のキットは、本発明の趣旨および範囲から逸脱することなく、異なる数の品目を含んでいてもよい。
【００５０】
本願に示した詳細は実例の検討のための一例に過ぎず、本開示の様々な実施形態の原理および概念の態様の最も有用かつ理解し易い説明と考えられるものを提供するために示されているものではない。この点に関して、様々な実施形態の異なる特徴の根本的な理解に必要である以上の詳細を示す試みはなされておらず、記載は図面と併せて、これらが実際にはどのように実現され得るかを当業者に明らかにする。
【図１】
0006416280.tif 000002
【図２】
0006416280.tif 000003
【図２Ａ】
0006416280.tif 000004
【図３】
0006416280.tif 000005
【図４】
0006416280.tif 000006
【図５】
0006416280.tif 000007
【図６】
0006416280.tif 000008
【図７】
0006416280.tif 000009
【図８】
0006416280.tif 000010
【図９】
0006416280.tif 000011
【図１０】
0006416280.tif 000012
【図１１】
0006416280.tif 000013
【図１２】
0006416280.tif 000014
【図１３】
0006416280.tif 000015
【図１４】
0006416280.tif 000016
【図１５】
0006416280.tif 000017
【図１６】
0006416280.tif 000018
【図１７】
0006416280.tif 000019
【図１８】
0006416280.tif 000020
【図１９】
0006416280.tif 000021